(57)【要約】 【課題】  １個の香箱で打鈴機構用と日の裏装置用とを兼ねる時計を提供すること。【解決手段】  本発明の時計は、アナログ表示手段を駆動する日の裏装置と、打鈴機構を駆動する打鈴輪列と、巻き上げ時、前記香箱スプリングを巻き上げる為に、前記巻き上げラチェットと噛み合うよう具備された巻き上げ部材とを有し、前記日の裏装置は、香箱により回転駆動され、前記香箱は、香箱スプリングと、前記日の裏装置と噛み合う外歯３６と、前記香箱と同軸の巻き上げラチェットとを有し、前記巻き上げラチェットは、前記香箱の駆動真に固定され、前記巻き上げラチェットは、前記打鈴輪列を、中間歯セットを介して、回転駆動し、前記中間歯セットの軸Ａ２と前記香箱の軸Ａ１とは、ずれており、前記中間歯セットは、クリック装置を有し、前記香箱スプリングの巻き上げ時、前記打鈴輪列と巻き上げラチェットとの結合を解く。【選択図】  図３
2007286056.tif 000002
【特許請求の範囲】
【請求項１】
（Ａ）  アナログ表示手段（１４）を駆動する日の裏装置（１２）と、
（Ｂ）  打鈴機構（１８）を駆動する打鈴輪列（１６）と、
前記日の裏装置（１２）は、香箱スプリング（２４）と、前記日の裏装置（１２）と噛み合う外歯（３６）と、前記香箱（２０）と同軸の巻き上げラチェット（３８）とを有する香箱（２０）により回転駆動され、
前記巻き上げラチェット（３８）は、前記香箱（２０）の駆動真（２６）に固定され、
（Ｃ）  巻き上げ時、前記香箱スプリング（２４）を巻き上げる為に、前記巻き上げラチェット（３８）と噛み合うよう具備された巻き上げ部材（４４）と
を有する時計（１０）において、
前記巻き上げラチェット（３８）は、前記打鈴輪列（１６）を、中間歯セット（４５）を介して、回転駆動し、
前記中間歯セット（４５）の軸（Ａ２）と前記香箱（２０）の軸（Ａ１）とは、ずれており、
前記中間歯セット（４５）は、クリック装置（４７）を有し、前記香箱スプリング（２４）の巻き上げ時、前記打鈴輪列（１６）と巻き上げラチェット（３８）との結合を解除する
ことを特徴とする時計。
【請求項２】
前記中間歯セット（４５）は、中間歯（４６）と、中間ピニオン（５４）とを有し、
前記中間歯（４６）は、前記中間歯（４６）に回転可能に結合される前記巻き上げラチェット（３８）により回転駆動され、
前記中間ピニオン（５４）は、前記ラチェット歯（４８）に、少なくとも１つのクリック（５０，５２）を介して、回転可能に結合され、前記打鈴輪列（１６）と噛み合う
ことを特徴とする請求項１記載の時計。
【請求項３】
前記中間歯（４６）は、前記巻き上げラチェット（３８）と同一面上を伸びる
ことを特徴とする請求項１または２記載の時計。
【請求項４】
前記ラチェット歯（４８）は、軸延長部（５８）を有し、
前記中間歯（４６）は、前記軸延長部（５８）に結合されるよう搭載される
ことを特徴とする請求項２または３記載の時計。
【請求項５】
前記ラチェット歯（４８）は、少なくとも２個のクリック（５０，５２）を有し、
前記中間歯（４６）は、同軸に配置された反転歯（７２）を具備し、
前記反転歯（７２）は、前記中間ピニオン（５４）に、所定の角度クリアランスをもって回転するよう結合され、前記反転歯（７２）が、前記中間ピニオン（５４）に対し、回転した時に、前記クリック（５０，５２）の立ち上がりを制御する手段（７４，７６）を有する
ことを特徴とする請求項２〜４のいずれかに記載の時計。
【請求項６】
前記中間ピニオン（５４）と噛み合う補助設定歯（８２）を更に有し、
前記補助設定歯（８２）は、前記打鈴輪列（１６）の駆動方向に回転するよう接続され、
巻き上げ時に、前記中間ピニオン（５４）に、ロック・トルクを維持する
ことを特徴とする請求項２〜５のいずれかに記載の時計。
【請求項７】
前記巻き上げラチェット（３８）は、主設定歯（５６）と噛み合い、
前記主設定歯（５６）は、前記中間歯セット（４５）と噛み合う
ことを特徴とする請求項１〜６のいずれかに記載の時計。
【発明の詳細な説明】
【技術分野】
【０００１】
本発明は、リピータ打鈴機構を有する時計、特にグランド・ストライク腕時計に関する。
【背景技術】
【０００２】
本発明は、特に、アナログ表示手段を駆動する日の裏装置と、打鈴機構を駆動する打鈴輪列と、巻き上げ時、前記香箱スプリングを巻き上げる為に、前記巻き上げラチェットと噛み合うよう具備された巻き上げ部材とを有し、前記日の裏装置は、香箱（スプリング）により回転駆動され、前記香箱は、香箱スプリングと、前記日の裏装置と噛み合う外歯と、前記香箱と同軸の巻き上げラチェットとを有し、前記巻き上げラチェットは、前記香箱の駆動真に固定される時計に関する。
【０００３】
このような時計、特に複雑機構を具備する時計、例えばリピータ（二度打ち）時計あるいはグランド・ストライク（時鐘打ち）時計として、古くから知られている。複雑時計の分野における従来技術を理解するには、非特許文献１を参照されたい。非特許文献１には、時鐘打ち機構を具備した時計に関する数章（９７−２０５頁）と、グランド・ストライク時計だけを扱った章（１８２−２０５頁）とがある。
【０００４】
グランド・ストライク時計は、２個の輪列即ち、時間表示手段（指針）を駆動する日の裏装置と、打鈴機構を駆動する打鈴輪列とを有する。各輪列は、自身を収納する香箱と、輪列を駆動するエネルギーを与える香箱スプリングとを有する。
【０００５】
時計を構成する部品数を減らすため、且つスペースを節約するために、一個の香箱を使用して両方の輪列を駆動する方式が提案されている。これは特許文献１と２に開示されている。これらの文献に開示された時計は、日の裏装置が香箱の歯つきドラムにより駆動され、輪列は、歯車により駆動される。この歯車は、香箱真と同軸に配置され、香箱真に固定されるラチェットを介して、共に動くクリックにより、香箱真に回転可能に結合されている。
【０００６】
【特許文献１】スイス特許第５０７２９号明細書
【特許文献２】スイス特許第２３４７７号明細書
【非特許文献１】Francois Lecoultre entitled “Les montres compliquees” (ISBN 2-88175-000-1)
【０００７】
これらの解決方法は、必ずしも完全に満足すべきものではない。その理由は、これらの解決方法は、二重の使用に耐えるようにするために香箱構造に変更を加えることが必要だからである。特に、クリック／ラチェット・システムを、香箱の上面に追加配置しなければならず、また巻き上げラチェットは対向した側に配置しなければならない。これは、香箱に必要とされる軸方向の空間を狭めてしまう悪影響がある。
【発明の開示】
【発明が解決しようとする課題】
【０００８】
本発明の目的は、上記の欠点を解決することである。これは、軸方向に必要とされるスペースを最小にし、且つ組立動作を容易とするような単一のバレルを具備する駆動機構を提供することにより、解決される。
【０００９】
本発明の目的は、標準の香箱を使用できる解決方法を提供することである。
【課題を解決するための手段】
【００１０】
前記目的を達成するために、本発明は従来のタイプの時計において、前記巻き上げラチェットは、前記打鈴輪列を、中間歯セットを介して、回転駆動する。前記中間歯セットの軸（Ａ２）と前記香箱の軸（Ａ１）とは、ずれている。前記中間歯セットは、クリック装置を有し、前記香箱スプリングの巻き上げ時、前記打鈴輪列と巻き上げラチェットとの結合を解除する。
【００１１】
本発明の時計によれば、標準の香箱を使用して、日の裏装置と輪列の両方を駆動できる。これにより、たとえば打鈴機構を具備した時計と打鈴機構を具備しない時計を製造する際に必要とされる様々な標準部品の数を減らすことができる。
【００１２】
香箱構造を変えることがないため、軸方向に必要とされるスペースも変える必要も無く、これにより、香箱を時計内に配置するのが容易となる。
【００１３】
前記中間歯セットは、中間歯と、中間ピニオンとを有する。前記中間歯は、前記中間歯に回転可能に結合される前記巻き上げラチェットにより回転駆動される。前記中間ピニオンは、前記ラチェット歯に、少なくとも１つのクリックを介して、回転可能に結合され、前記打鈴輪列と噛み合う。
【００１４】
前記中間歯は、前記巻き上げラチェットと同一面上を伸びる。
【００１５】
前記ラチェット歯は、軸延長部を有し、前記中間歯は、前記軸延長部に結合されるよう搭載される。
【００１６】
前記ラチェット歯は、少なくとも２個のクリックを有する。前記中間歯は、同軸に配置された反転ホイールを具備する。前記反転ホイールは、前記中間ピニオンに、所定の角度クリアランスをもって回転するよう結合される。前記反転ホイールが、前記中間ピニオンに対し、回転した時に、前記クリックの立ち上がりを制御する手段を有する。これにより、メンテナンス作業が容易となる。これは、香箱スプリングを緩める為に、特に打鈴機構を動作させる時に、一個のツールでもって全てのクリックを立ち上がらせる（半径方向に膨らませる）のを制御することにより、行われる。
【００１７】
前記中間ピニオンと噛み合う補助設定歯を更に有する。前記補助設定歯は、前記打鈴輪列の駆動方向に回転するよう接続され、巻き上げ時に、前記中間ピニオンに、ロック・トルクを維持する。かくして、本発明の構成により、巻き上げ動作時に、打鈴機構が偶発的に解放されるリスクを減らすことができる。
【００１８】
前記巻き上げラチェットは、主設定歯と噛み合い、前記主設定歯は、前記中間歯セットと噛み合う。かくして、構成部品点数を減らしながら、巻き上げラチェットを打鈴機構に接続する駆動要素が必要とするスペースを最小にできる。
【実施例】
【００１９】
図１は、本発明の時計１０を示す。時計１０は、機械式時計のムーブメントに適合する腕時計である。このムーブメントは、日の裏装置１２と打鈴輪列１６とを具備する。日の裏装置１２は、現在の時刻を表示する指針のようなアナログ表示手段１４と共に動く。打鈴輪列１６は、ゴング（鈴）を鳴らすハンマーで少なくとも現在の時間を表示するリピータ打鈴機構１８と共に動く。
【００２０】
本発明の時計１０のリピータ打鈴機構１８は、グランド・ストライク型である。即ち１時間刻みと１５分刻みで打鈴することができ、しかも自動的にあるいは必要によってマニュアル操作Ｍ２を介して、解放（打鈴）できる。図１は、例えば解放レバーにより形成された打鈴機構の解放部材１９を示す。
【００２１】
日の裏装置１２は、香箱２０により回転駆動をされる（図２，３）。香箱２０は、香箱スプリング２４を収納する円筒形ドラム２２と、香箱スプリング２４の第１端２８が固定される駆動真２６と、その上部軸方向端部に円筒形ドラム２２を閉じるカバー３０とを有する。
【００２２】
以下の説明において、香箱２０の駆動真２６の軸Ａ１に沿った方向を垂直方向とする。
【００２３】
香箱スプリング２４は、駆動真２６の周囲に巻かれるコイル状の細長い帯（コイルバネ）である。円筒形ドラム２２は、内側軸壁内にリセス３２を有し、スプリング２４の第２端３４を固定する。
【００２４】
円筒形ドラム２２は、外歯３６を有する。この外歯３６は、日の裏装置１２の中間歯３９に結合された（回転が伝達される）日の裏装置の中間ピニオン３７と噛み合う。これにより、香箱スプリング２４より加えられるトルクを日の裏装置１２に伝達する。日の裏装置の中心軸４１は、日の裏装置の中間歯３９と噛み合うピニオン４３を具備する。
【００２５】
香箱２０と同軸の巻き上げラチェット３８が、駆動真２６の矩形軸４２に搭載され、その結果、巻き上げラチェット３８が、駆動真２６に結合される。
【００２６】
巻き上げ部材４４は、巻き上げ軸（図示せず）上の手動動作Ｍ１により制御されるが、巻き上げ時に香箱スプリング２４を巻き上げる為に、具備される。巻き上げ部材４４は、巻き上げラチェット３８と噛み合うピニオンにより形成され、香箱スプリング２４の巻き上げ方向（図３では時計方向）に、巻き上げラチェット３８を回転するよう駆動（回転駆動）する。
【００２７】
本発明によれば、巻き上げラチェット３８は、打鈴輪列１６を、中間歯セット４５を介して、回転駆動する。中間歯セット４５の回転軸Ａ２と香箱２０の軸Ａ１とはずれている。中間歯セット４５は、クリック装置４７を具備し、香箱スプリング２４の巻き上げ時に、打鈴輪列１６と巻き上げラチェット３８とを切り離す。
【００２８】
中間歯セット４５は中間歯４６を有する。この中間歯４６は、ラチェット歯４８に回転可能に結合される。ラチェット歯４８は、香箱スプリング２４を開放する方向に、２個のクリック５０，５２を介して、中間ピニオン５４に回転可能に結合される。中間ピニオン５４は、打鈴輪列１６と噛み合う。クリック装置４７は、ラチェット歯４８と、クリック５０，５２と、中間ピニオン５４とで形成される。
【００２９】
図３は、打鈴機構真５５を示す。打鈴機構真５５は、中間ピニオン５４と噛み合うピニオン５７を有する。
【００３０】
解放部材１９が活性化されると、自動あるいは手動Ｍ２のいずれかにより、解放部材１９は、打鈴輪列１６を開放する。この打鈴輪列１６は、香箱スプリング２４が開放されることにより、回転駆動される。その後、香箱スプリング２４が解放方向に緩められると、巻き上げラチェット３８を反時計方向に回転させる。かくして巻き上げラチェット３８は、香箱スプリング２４の開放方向に、打鈴輪列１６により保持される。この打鈴輪列１６は、それが解放部材１９により開放されるまで、ロックされた状態を維持する。
【００３１】
この実施例によれば、巻き上げラチェット３８は、主設定歯５６と噛み合う。主設定歯５６は、中間歯４６と噛み合う。主設定歯５６と中間歯４６とは、巻き上げラチェット３８と同一面に配置される。
【００３２】
図４に示す実施例によれば、ラチェット歯４８は、管状で上部方向に向いた上部管状軸延長部５８を有する。中間歯車は、この上部管状軸延長部５８内に、入り、その結果ラチェット歯４８は中間歯４６と同軸となり、その中に回転可能に収納される。中間ピニオン５４は、回転真６０と一体に形成される。回転真６０は、ラチェット歯４８と上部管状軸延長部５８の内側を軸方向に伸びる。中間ピニオン５４の回転真６０は、ラチェット歯４８に対し自由に回転できるよう、搭載される。ラチェット歯４８と中間歯４６とを、中間ピニオン５４が具備する。
【００３３】
各クリック５０，５２は、クリック真６２，６４の周囲に回転可能に搭載される。クリック真６２，６４は、中間ピニオン５４の上部横方向（側）面７８に固定される。２個のクリック真６２，６４は、半径方向に向かい合って配置される。クリック５０，５２は、ラチェット歯４８の歯の方向に、復帰スプリング６８，７０により引かれる。
【００３４】
好ましくは、反転ホイール（inversion wheel）７２が、軸方向にラチェット歯４８と中間ピニオン５４の間に挿入される。反転ホイール７２は、２個の長方形孔７４，７６を有する。この長方形孔７４，７６を貫通して、クリック真６２，６４がそれぞれ伸びる。弾性片である復帰スプリング６８，７０は、反転ホイール７２の上部横方向（側）面７８に固定される。
【００３５】
反転ホイール７２は、中間ピニオン５４に回転可能に結合される。これはクリック真６２，６４を長方形孔７４，７６の端部エッジに当てる事により行われる。長方形孔７５，７６により、反転ホイール７２と中間ピニオン５４との間で、長方形孔７４，７６の円周方向の長さだけ、所定の角度クリアランスが得られる。
【００３６】
反転ホイール７２が、中間ピニオン５４に対し回転すると、クリック５０，５２が、立ち上がる。その理由は、反対側にある復帰スプリング６８，７０の当接端８０が、クリック５０，５２の回転軸に対し当たる動きにより、復帰スプリング６８，７０は、クリック５０，５２をラチェット歯４８の方向に引くことは無いからである。
【００３７】
反転ホイール72の目的は、時計１０のメインテナンス作業を容易にするためである。これは、クリック５０，５２を、立ち上がらせ、香箱スプリング２４を開放することにより行われる。これに関して以下説明する。
【００３８】
本発明の他の好ましい実施例によれば、補助設定歯８２は、中間ピニオン５４と噛み合う。補助設定歯８２は、打鈴輪列１６の駆動方向（即ち香箱スプリング２４が開放される方向）に、回転駆動される。その結果、香箱スプリング２４の巻き上げ時に、中間ピニオン５４上にロック・トルクを維持する。
【００３９】
本発明の時計１０の動作を次に説明する。
【００４０】
中間位置（即ち、打鈴操作あるいは巻き上げ操作ではない状態）において、時計１０は、現在の時刻を表示し、リピータ打鈴機構１８は、打鈴を開放する準備位置にロックされている。日の裏装置１２は、香箱ゴングである円筒形ドラム２２により回転駆動される。円筒形ドラム２２は、ここでは時計方向に、香箱スプリング２４を介して、緩められる。
【００４１】
この中間位置において、香箱スプリング２４は、一方向のみに緩められる。その理由は、第一端２８の側では、固定状態にあり、巻き上げラチェット３８は、打鈴輪列１６とリピータ打鈴機構１８により、一定の角度位置に保持されるからである。
【００４２】
打鈴時において、解放部材１９は、リピータ打鈴機構１８を開放する。このリピータ打鈴機構１８が打鈴輪列１６を開放する。この打鈴輪列１６は、巻き上げラチェット３８により回転駆動され、香箱真と共に、回転（ここでは反時計方向）する。
【００４３】
打鈴時において、香箱スプリング２４は、両端の間で緩む。第一端２８は、巻き上げラチェット３８に結合され、第２端３４は、香箱である円筒形ドラム２２と共に動き、日の裏装置１２を駆動し、現在の時刻を表示し続ける。
【００４４】
巻き上げ時において、巻き上げ部材４４は、巻き上げラチェット３８と噛み合い、巻き上げラチェット３８を時計方向に回転駆動し、香箱スプリング２４を巻き上げる。
【００４５】
巻き上げラチェット３８の回転により、中間歯４６は、主設定歯５６を介して、打鈴時とは反対方向（ここでは時計方向）に、回転する。ラチェット歯４８は、中間歯４６と共に回転して、その突起歯４９に起因して、クリック５０，５２を、復帰スプリング６９，７０に抗して、立ち上げる。かくして中間ピニオン５４は、一定の角度位置にある。
【００４６】
巻き上げ時において、補助設定歯８２は、中間ピニオン５４上にロック・トルクを維持し、これが角度の遊びを補償する。かくして、巻き上げラチェット３８により打鈴機構の開放方向にかけられた打鈴輪列１６上のトルクを開放することにより、リピータ打鈴機構18の構成要素が、打鈴機構の偶発的開放の原因となる動きを阻止する。
【００４７】
メインテナンス操作の間、一連の打鈴機構を開放することなく、特にリピータ打鈴機構１８を開放することなく、香箱スプリング２４を開放することが必要である。反転ホイール７２を中間ピニオン５４に対し回転駆動することにより、例えば時計１０に適合し反転ホイール７２の歯に噛み合ったツール／ラックの手段により、図３で反時計方向に回転駆動することにより、クリック５０，５２が、立ち上がり、これにより香箱スプリング２４が、リピータ打鈴機構１８を回転駆動することなく、完全に緩められる。
【００４８】
上記の記載では、本発明をグランドストライク機構を具備した時計１０を例に説明したが、本発明は、打鈴輪列と日の裏装置を有し、打鈴機構用のエネルギーが香箱により与えられ、プログラムされた開放機構（アラーム機構）と小さな打鈴用の時計を具備した打鈴機構を有する時計にも適合可能である。
【００４９】
上記の「回転の伝達」の説明において、「回転可能に結合する」とは、一般に歯車間の噛み合いによる回転の伝達、或いは間接的な伝達を意味する。一方、単に「結合」「接続」といった場合には、軸を介した（同軸の、或いは直接的な）回転の伝達を意味する。しかし、この言葉の相違は、実施例の説明に関するもので、発明の解釈に当たっては、それらは、互換性をもって使用される。
【００５０】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００５１】
【図１】本発明の時計の主要構成要素を表すブロック図
【図２】図１の時計の香箱の主要構成要素を表す展開斜視図
【図３】図１の時計の香箱と輪列要素の一部を表す展開斜視図
【図４】図１の時計に適合した中間歯車セットを表す展開斜視図      図面に於いて輪列が示されているが、輪列の歯は、図面を単純にするため且つ図面の理解を容易にするために、必ずしも描いていない（即ち、単なる円で示されている図もある）。
【符号の説明】
【００５２】
１０  時計
１２  日の裏装置
１４  アナログ表示手段
１６  打鈴輪列
１８  リピータ打鈴機構
２０  香箱
２２  円筒形ドラム
２４  香箱スプリング
２６  駆動真
２８  第１端
３０  カバー
３２  リセス
３４  第２端
３６  外歯
３７  日の裏装置中間ピニオン
３８  巻き上げラチェット
３９  中間歯
４０  上部軸端
４１  センター
４２  矩形部品
４４  巻き上げ部材
４５  中間歯セット
４６  中間歯
４７  クリック装置
４８  ラチェット歯
４９  ウルフ歯
５０，５２  クリック
５４  中間ピニオン
５６  主設定歯
５７  ピニオン
５８  上部管状軸延長部
６０  回転真
６２，６４  クリック真
６８，７０  復帰スプリング
７２  反転ホイール
７４，７６  長方形孔
８２  軸方向設定歯
【図１】
2007286056.tif 000003
【図２】
2007286056.tif 000004
【図３】
2007286056.tif 000005
【図４】
2007286056.tif 000006